【手続補正書】
【提出日】平成27年6月11日(2015.6.11)
【手続補正１】
【補正対象書類名】特許請求の範囲
【補正対象項目名】全文
【補正方法】変更
【補正の内容】
【特許請求の範囲】
【請求項１】
飲料を生成する飲料生成装置で使用するように構成された飲料カートリッジであって、
閉じた内部空間を有する容器と、
前記内部空間内に位置する飲料媒体であって、飲料媒体と前記内部空間へと導入された液体との相互作用によって飲料を生成するように使用される飲料媒体と、
前記容器の前記閉じた内部空間内にあり、前記閉じた内部空間の外部に位置し、前記飲料カートリッジから分離可能な駆動システムの振動動作に反応して、前記カートリッジ内の飲料媒体または液体の前記容器に対する動作を生じさせるように構成された動作生成構造と、
を含むことを特徴とするカートリッジ。
【請求項２】
請求項１に記載のカートリッジであって、
前記動作生成構造が、前記内部空間内に位置する第１の部分および前記内部空間の外部に延びる第２の部分を含む攪拌器を含むことを特徴とするカートリッジ。
【請求項３】
請求項２に記載のカートリッジであって、
前記攪拌器の前記第２の部分が、前記駆動システムの動作を前記攪拌器の前記第１の部分へと伝えるように、前記駆動システムと機械的に結合するように構成されていることを特徴とするカートリッジ。
【請求項４】
請求項１に記載のカートリッジであって、
前記動作生成構造が、前記容器に取り付けられ、前記内部空間内にある攪拌器を含むことを特徴とするカートリッジ。
【請求項５】
請求項４に記載のカートリッジであって、
前記攪拌器が１つ以上のパドル、フィンガ、フィン、タブまたはブレードを含むことを特徴とするカートリッジ。
【請求項６】
請求項５に記載のカートリッジであって、
前記攪拌器が、前記容器内の窪みとして形成された１つ以上のパドルを含むことを特徴とするカートリッジ。
【請求項７】
請求項６に記載のカートリッジであって、
前記容器内の前記窪みが前記駆動システムと機械的に結合するように構成されていることを特徴とするカートリッジ。
【請求項８】
請求項１に記載のカートリッジであって、
前記動作生成構造が、前記容器と関係なく前記内部空間内で可動である１つ以上の混合用ボールを含み、
前記混合用ボールは、前記駆動システムによる容器の動作に反応して、前記容器内の前記飲料媒体または液体の動作を生成するように構成されていることを特徴とするカートリッジ。
【請求項９】
請求項１に記載のカートリッジであって、
前記動作生成構造が、前記容器の振動回転に反応して、前記飲料媒体または液体の正味回転動作を生じさせるように構成された、前記内部空間内の１つ以上の壁部要素を含むことを特徴とするカートリッジ。
【請求項１０】
請求項９に記載のカートリッジであって、
前記壁部要素が、前記容器の周縁部の周りにジグザグ形に構成されていることを特徴とするカートリッジ。
【請求項１１】
請求項１に記載のカートリッジであって、
前記動作生成構造が、前記駆動システムの動作に反応して、前記内部空間内の液体に渦を形成するように構成されていることを特徴とするカートリッジ。
【請求項１２】
請求項１に記載のカートリッジであって、
前記容器が蓋を含み、
前記カートリッジがさらに、前記飲料媒体の液体との相互作用によって生成される飲料の少なくとも一部を濾過するように構成された前記容器内のフィルタを含むことを特徴とするカートリッジ。
【請求項１３】
請求項１２に記載のカートリッジであって、
前記フィルタが前記蓋に取り付けられていることを特徴とするカートリッジ。
【請求項１４】
請求項１に記載のカートリッジであって、
前記飲料媒体が、前記動作生成構造によって生じる動作がない場合には、所定の容積の飲料を生成するように、前記カートリッジへと導入された液体に完全に溶解しないであろう粉末状材料を含むことを特徴とするカートリッジ。
【請求項１５】
飲料生成システムであって、
飲料カートリッジを保持するように構成されたカートリッジ受け部と、
液体を前記飲料カートリッジへと導入するように構成された液体入口と、
振動エネルギーを前記飲料カートリッジへと提供するように構成された駆動システムと、
請求項１に記載の飲料カートリッジと、
を含むことを特徴とするシステム。
【請求項１６】
飲料生成装置で使用するように構成された飲料カートリッジを使用して、飲料を生成するための方法であって、
閉じた内部空間を有する容器と、前記内部空間内に位置する飲料媒体と、前記飲料媒体の動作を生じさせるように構成された、前記容器の前記閉じた内部空間内の動作生成構造とを含む飲料カートリッジを設けるステップと、
前記飲料カートリッジを前記飲料生成装置の抽出チャンバと関連付けるステップと、
前記カートリッジを前記抽出チャンバと関連付けながら前記動作生成構造の動作を生じさせて、前記閉じた内部空間内の前記飲料媒体の動作を生じさせるステップと、
を含むことを特徴とする方法。
【請求項１７】
請求項１６に記載の方法であって、
前記動作生成構造が前記容器に取り付けられ、前記内部空間内にある攪拌器を含むことを特徴とする方法。
【請求項１８】
請求項１７に記載の方法であって、
前記攪拌器が前記容器に取り付けられ、前記容器から離れて前記内部空間内へと延びることを特徴とする方法。
【請求項１９】
請求項１７に記載の方法であって、
前記攪拌器が１つ以上のパドル、フィンガ、フィン、タブまたはブレードを含むことを特徴とする方法。
【請求項２０】
請求項１９に記載の方法であって、
前記攪拌器が、前記容器内の窪みとして形成された１つ以上のパドルを含むことを特徴とする方法。
【請求項２１】
請求項２０に記載の方法であって、
前記動作を生じさせるステップが、前記容器内の窪みを前記飲料生成装置の駆動システムと機械的に結合するステップを含むことを特徴とする方法。
【請求項２２】
請求項１６に記載の方法であって、
前記動作を生じさせるステップが、前記動作生成構造の１つ以上の混合用ボールが前記容器内の前記飲料媒体の動作を生じさせるように、前記容器を動かすステップを含むことを特徴とする方法。
【請求項２３】
請求項１６に記載の方法であって、
前記動作を生じさせるステップが、前記容器の振動回転を生じさせるステップを含むことを特徴とする方法。
【請求項２４】
請求項２３に記載の方法であって、
前記容器の振動回転によって、前記内部空間内の１つ以上の壁部要素が、前記内部空間内の前記飲料媒体の前記容器に対する正味回転動作を生じさせるように構成されていることを特徴とする方法。
【請求項２５】
請求項１６に記載の方法であって、
前記動作を生じさせるステップが、前記動作生成構造に前記内部空間内の液体に渦を形成させることを特徴とする方法。
【請求項２６】
請求項１６に記載の方法であって、
飲料を生成するように、液体を、前記飲料媒体に接触するように前記内部空間へと導入するステップをさらに含むことを特徴とする方法。
【請求項２７】
請求項２６に記載の方法であって、
前記導入するステップが、前記動作を生じさせるステップの前、または前記動作を生じさせるステップと同時に起きることを特徴とする方法。
【請求項２８】
請求項２６に記載の方法であって、
前記液体を導入するステップが、液体が導入される開口を形成するように、前記カートリッジ容器を穿刺するステップを含むことを特徴とする方法。
【請求項２９】
請求項２８に記載の方法であって、
飲料が前記容器から出る開口を形成するように、前記カートリッジ容器を穿刺するステップをさらに含むことを特徴とする方法。
【請求項３０】
請求項１６に記載の方法であって、
前記動作を生じさせるステップが、前記動作生成構造に、音波エネルギーを前記内部空間に放出させるステップを含むことを特徴とする方法。
【請求項３１】
請求項３０に記載の方法であって、
前記カートリッジが前記内部空間内のフィルタを含み、
前記方法が、
前記飲料媒体の動作を生じさせるステップがない場合には、前記フィルタを通過しないであろう材料を、前記カートリッジの前記フィルタを通過させるステップをさらに含むことを特徴とする方法。
【請求項３２】
請求項３０に記載の方法であって、
前記動作生成構造による前記飲料媒体の動作がない場合に存在するであろうよりも高いレベルの溶解および／または懸濁した材料を有する飲料を生成するステップをさらに含むことを特徴とする方法。
【請求項３３】
請求項３２に記載の方法であって、
前記飲料がコーヒー飲料であり、
前記方法が、
前記動作生成構造による前記飲料媒体の動作がない場合に存在するであろうよりも高い濁度および／または総溶解固形分のレベルを有する、コーヒー飲料を生成するステップを含むことを特徴とする方法。